(57)【要約】【課題】撮像レンズの着脱時に侵入した塵や埃等を、撮像素子の表面から効果的に除去し、また、撮像レンズを取外している際に、撮像素子の表面に塵や埃等が付着するのを防止することができる撮像素子清掃装置及びそれを備えたカメラシステムを提供する。【解決手段】本発明は、撮像レンズ（Ｌ）の交換が可能なカメラシステムのカメラ本体内に備えられた撮像素子を清掃するための装置である。本発明の撮像素子清掃装置（１）は、撮像素子に付着した埃を除去するワイパー手段（１６）と、ワイパー支持手段（６、８、１０、１２）と、ワイパー駆動手段（２０、２２、２４）と、を有する。ワイパー支持手段は、ワイパー手段が撮像素子の表面に沿って移動できるように、ワイパー手段を支持する。ワイパー駆動手段は、撮像レンズのカメラ本体への装着時、及び／又は、取外し時に、ワイパー手段を撮像素子の表面に沿って駆動する。【選択図】      図２
2005005972.tif 000002
【特許請求の範囲】
【請求項１】
撮像レンズの交換が可能なカメラシステムのカメラ本体内に備えられた撮像素子を清掃するための装置であって、
前記撮像素子に付着した埃を除去するワイパー手段と、
このワイパー手段が前記撮像素子の表面に沿って移動できるように、前記ワイパー手段を支持するワイパー支持手段と、
前記撮像レンズの前記カメラ本体への装着時、及び／又は、取外し時に、前記ワイパー手段を前記撮像素子の表面に沿って駆動するワイパー駆動手段と、を有することを特徴とする撮像素子清掃装置。
【請求項２】
前記ワイパー支持手段が、
前記ワイパー手段の一端が取付けられた第１部材と、
前記ワイパー手段の他端が取付けられ、前記第１部材とほぼ平行に配置された第２部材と、
前記第１部材及び前記第２部材を繰り出し又は巻き取る、前記撮像素子の一方の側に配置された第１ドラムと、
前記第１部材及び前記第２部材を繰り出し又は巻き取る、前記撮像素子の他方の側に配置された第２ドラムと、を有することを特徴とする請求項１記載の撮像素子清掃装置。
【請求項３】
前記ワイパー駆動手段が、
前記撮像レンズを前記カメラ本体に装着する際、又は前記カメラ本体から前記撮像レンズを取外す際に前記撮像レンズに加えられた力を、前記第１ドラム及び／又は前記第２ドラムに伝達して、前記第１ドラム及び／又は前記第２ドラムを駆動するように構成されていることを特徴とする請求項２記載の撮像素子清掃装置。
【請求項４】
前記第１部材と前記第２部材との間の、前記ワイパー手段の前記第２ドラムの側に防塵手段が備えられ、前記カメラ本体から前記撮像レンズを取外した際に、前記撮像素子が前記防塵手段によって覆われることを特徴とする請求項２又は請求項３記載の撮像素子清掃装置。
【請求項５】
前記第１部材及び前記第２部材を前記第１ドラムに巻き取り、前記撮像素子が前記防塵手段によって覆われるように、前記第１ドラムを付勢する付勢手段を更に有し、
前記撮像レンズを前記カメラ本体に装着する際に前記撮像レンズに加えられた力が、前記付勢手段による付勢に抗して前記第２ドラムを駆動し、前記撮像素子を露出させることを特徴とする請求項４記載の撮像素子清掃装置。
【請求項６】
撮像レンズと、
この撮像レンズを着脱することができ、撮像素子を備えたカメラ本体と、
前記撮像素子に付着した埃を除去するワイパー手段と、
このワイパー手段が前記撮像素子の表面に沿って移動できるように、前記ワイパー手段を支持するワイパー支持手段と、
前記撮像レンズの前記カメラ本体への装着時、及び／又は、取外し時に、前記ワイパー手段を前記撮像素子の表面に沿って駆動するワイパー駆動手段と、を有することを特徴とするカメラシステム。
【請求項７】
前記撮像レンズが突起部を有し、前記撮像レンズを前記カメラ本体に装着するために回転させると、前記突起部が前記ワイパー駆動手段に力を作用させて前記ワイパー手段を移動させることを特徴とする請求項６記載のカメラシステム。
【発明の詳細な説明】
【０００１】
【発明の属する技術分野】
本発明は、撮像レンズの交換が可能なカメラシステムのカメラ本体内に備えられた撮像素子を清掃するための撮像素子清掃装置、及びそれを備えたカメラシステムに関する。
【０００２】
【従来の技術】
被写体光をＣＣＤ等の撮像素子で記録するデジタルカメラが、近年、急速に普及している。これらの撮像素子で像を記録するタイプのカメラシステムでは、フィルムカメラとは異なり、一旦、撮像素子に塵や埃が付着すると、これがその後に撮影した全ての画像に影響するので、撮像素子への塵や埃の付着は、非常に大きな問題となる。特に、撮像レンズの交換が可能なタイプのカメラシステムでは、撮像レンズの交換時にカメラ本体内に塵や埃が侵入しやすく問題となる。また、撮像素子の前にフォーカルプレーンシャッターが存在しない、レンズシャッター式のカメラシステムでは、カメラ本体内に侵入した塵や埃が撮像素子に付着しやすいので、さらに問題は深刻になる。
【０００３】
特許文献１には、撮像素子の保護方法が記載されている。この撮像素子の保護方法においては、ＣＣＤ等の撮像素子と、その前面に配置されたフォーカルプレーンシャッターとの間に、透明な保護フィルムを配置している。この保護フィルムは、長尺の帯状で、撮像素子の前面に設けられた搬送路の中を通って巻き取ることができるように構成されている。保護フィルムは、フォーカルプレーンシャッターを作動させることによって生じる摩耗屑が、撮像素子に付着するのを防止する。所定回数撮影した後、保護フィルムを巻き取り、保護フィルムに付着した摩耗屑を撮像素子の前から取り去る。
【０００４】
【特許文献１】
特開２００２−２７１６６２号公報
【０００５】
【発明が解決しようとする課題】
撮像素子に塵や埃が誤って付着してしまった場合には、カメラのユーザーがエアー掛け等を行って塵や埃を除去しなければならないという問題がある。また、エアー掛けによって除去できない塵や埃に対しては、拭き取りを行う必要があるが、一般にカメラ本体内にはミラーが配置されているので、撮像素子に付着した埃を拭き取ることは不可能に近い。また、カメラ本体によっては、ミラーアップ機構を有しているが、この場合においてもカメラ本体内のスペースは狭く、埃を拭き取ることは非常に困難である。従って、場合によっては、撮像素子に付着した埃の除去をメーカーに依頼しなければならないという問題がある。
【０００６】
また、特許文献１に記載された撮像素子の保護方法では、透明な保護フィルムが常に撮像素子の前面に存在するので、撮像される画像に悪影響を及ぼす恐れがあるという問題がある。また、一旦、保護フィルムに付着した埃は、所定回数撮影し、保護フィルムの埃が付着した部分が巻き取られるまで撮像素子の前面に存在するので、撮像レンズの着脱時に侵入した埃には対応しにくいという問題がある。
【０００７】
従って、本発明は、撮像レンズの着脱時に侵入した塵や埃等を、撮像素子の表面から効果的に除去することができる撮像素子清掃装置及びそれを備えたカメラシステムを提供することを目的としている。
【０００８】
また、本発明は、撮像レンズを取外している際に、撮像素子の表面に塵や埃等が付着するのを防止することができる撮像素子清掃装置及びそれを備えたカメラシステムを提供することを目的としている。
【０００９】
【課題を解決するための手段】
上述した課題を解決するために、本発明は、撮像レンズの交換が可能なカメラシステムのカメラ本体内に備えられた撮像素子を清掃するための装置であって、撮像素子に付着した埃を除去するワイパー手段と、このワイパー手段が撮像素子の表面に沿って移動できるように、ワイパー手段を支持するワイパー支持手段と、撮像レンズのカメラ本体への装着時、及び／又は、取外し時に、ワイパー手段を撮像素子の表面に沿って駆動するワイパー駆動手段と、を有することを特徴とする撮像素子清掃装置である。
【００１０】
このように構成された本発明においては、撮像レンズをカメラ本体に装着及び／又は取外しする際に、ワイパー駆動手段がワイパー支持手段によって支持されたワイパー手段を駆動して、カメラ本体内に備えられた撮像素子に付着した埃を除去する。
このように構成された本発明によれば、撮像レンズの装着時及び／又は取外し時に、撮像素子に付着した埃を有効に除去することができる。
【００１１】
また、好ましくは、撮像素子清掃装置のワイパー支持手段は、ワイパー手段の一端が取付けられた第１部材と、ワイパー手段の他端が取付けられ、第１部材とほぼ平行に配置された第２部材と、第１部材及び第２部材を繰り出し又は巻き取る、撮像素子の一方の側に配置された第１ドラムと、第１部材及び第２部材を繰り出し又は巻き取る、撮像素子の他方の側に配置された第２ドラムと、を有する。
【００１２】
このように構成された本発明においては、ワイパー手段の両端は、ほぼ平行に配置された第１部材及び第２部材によって夫々支持されている。第１部材及び第２部材が第１ドラム又は第２ドラムによって巻き取られると、ワイパー手段は、第１ドラムと第２ドラムの間に配置された撮像素子を横断するように移動して、撮像素子に付着した埃を除去する。
【００１３】
さらに、撮像素子清掃装置のワイパー駆動手段は、撮像レンズをカメラ本体に装着する際、又はカメラ本体から撮像レンズを取外す際に撮像レンズに加えられた力を、第１ドラム及び／又は第２ドラムに伝達して、第１ドラム及び／又は第２ドラムを駆動するように構成されているのが良い。
【００１４】
このように構成された本発明においては、撮像レンズをカメラ本体に装着する際、又はカメラ本体から撮像レンズを取外す際に撮像レンズに加えられた力が、ワイパー駆動手段によって第１ドラム及び／又は第２ドラムに伝達され、第１ドラム及び／又は第２ドラムを駆動して、ワイパー手段を移動させる。
このように構成された本発明によれば、特別な動力発生手段を使用することなく、ワイパー手段を移動させることができる。
【００１５】
また、本発明の撮像素子清掃装置において、第１部材と第２部材との間の、ワイパー手段の第２ドラムの側に防塵手段が備えられ、カメラ本体から撮像レンズを取外した際に、撮像素子が防塵手段によって覆われるように構成しても良い。
【００１６】
このように構成された本発明においては、防塵手段がワイパー手段の第２ドラムに近い側に備えられているので、ワイパー手段が撮像素子の第１ドラム側に位置するときには、撮像素子は防塵手段によって覆われる。
【００１７】
このように構成された本発明によれば、撮像レンズ着脱時の撮像素子の清掃に加えて、撮像レンズ未装着時に撮像素子に埃が付着するのを防止することができる。
【００１８】
さらに、本発明の撮像素子清掃装置は、第１部材及び第２部材を第１ドラムに巻き取り、撮像素子が防塵手段によって覆われるように、第１ドラムを付勢する付勢手段を更に有し、撮像レンズをカメラ本体に装着する際に撮像レンズに加えられた力が、付勢手段による付勢に抗して第２ドラムを駆動し、撮像素子を露出させるように構成することもできる。
【００１９】
このように構成された本発明においては、撮像レンズをカメラ本体に装着していないときには、第１部材及び第２部材は、付勢手段の付勢により第１ドラムに巻き取られており、撮像素子は防塵手段によって覆われている。撮像レンズをカメラ本体に装着すると、第１部材及び第２部材は第２ドラムに巻き取られ、撮像素子が露出される。
【００２０】
このように構成された本発明によれば、撮像レンズをカメラ本体に装着していないときには、撮像素子は、付勢手段の作用により防塵手段によって自動的に覆われる。撮像レンズをカメラ本体に装着すると、撮像素子は、自動的に露出される。
【００２１】
また、本発明のカメラシステムは、撮像レンズと、この撮像レンズを着脱することができ、撮像素子を備えたカメラ本体と、撮像素子に付着した埃を除去するワイパー手段と、このワイパー手段が撮像素子の表面に沿って移動できるように、ワイパー手段を支持するワイパー支持手段と、撮像レンズのカメラ本体への装着時、及び／又は、取外し時に、ワイパー手段を撮像素子の表面に沿って駆動するワイパー駆動手段と、を有することを特徴としている。
【００２２】
好ましくは、撮像レンズが突起部を有するように構成し、撮像レンズをカメラ本体に装着するために回転させると、突起部がワイパー駆動手段に力を作用させてワイパー手段を移動させるように構成する。
【００２３】
【発明の実施の形態】
次に、添付図面を参照して、本発明の実施形態を説明する。
まず、図１及び図２を参照して、本発明の第１実施形態の撮像素子清掃装置を説明する。図１は、本発明の第１実施形態の撮像素子清掃装置を組み込んだレンズシャッター式のカメラシステムの断面図を示し、図２は、本発明の第１実施形態の撮像素子清掃装置の主要な部品を図示した斜視図である。
【００２４】
図１及び図２に示すように、本発明の第１実施形態の撮像素子清掃装置１は、カメラ本体Ｂの内部に配置された防塵内筒２と、この防塵内筒２の撮像素子Ｃ側に取付けられたフレーム４と、このフレーム４に回転可能に支持され、防塵内筒２の側面に配置された第１ドラム６と、フレーム４に回転可能に支持され、防塵内筒２の、第１ドラム６の反対側の側面に配置された第２ドラム８と、を有する。また、撮像素子清掃装置１は、第２ドラム８から繰り出され第１ドラム６に巻き取られる帯状又は線状の第１部材である上側リボン１０及び帯状又は線状の第２部材である下側リボン１２と、上側リボン１０及び下側リボン１２を案内するガイドロール１４と、両端が上側リボン１０及び下側リボン１２に夫々取付けられたワイパー手段１６と、を有する。
【００２５】
なお、一般に、ＣＣＤ等の素子は、光を電荷等に変換する層Ｃ２と、この層を保護するための保護ガラス等の層Ｃ１によって構成されているが、本明細書において撮像素子Ｃとは、保護ガラス等を備えたものについては、保護ガラス等の層を含むものとする。
【００２６】
さらに、撮像素子清掃装置１は、第１ドラム６が上側リボン１０及び下側リボン１２を巻き取る方向に回転するように付勢する付勢手段であるバネ１８と、撮像レンズＬ装着時に、撮像レンズＬのマウント部の突起Ｌ１と係合して移動される第１リンク部材２０と、第１リンク部材２０と係合して移動される第２リンク部材２２と、を有する。また、撮像素子清掃装置１は、第２リンク部材２２に形成された歯２２ａと係合する第１歯車２４と、第２ドラム８の下端に取付けられ、第１歯車２４と係合する第２歯車２６と、を有する。
【００２７】
本実施形態において、第１ドラム６、第２ドラム８、上側リボン１０、下側リボン１２及びガイドロール１４は、ワイパー支持手段を構成する。また、本実施形態において、第１リンク部材２０、第２リンク部材２２、第１歯車２４、及び第２歯車２６は、ワイパー駆動手段を構成する。
【００２８】
防塵内筒２は、カメラ本体Ｂの撮像レンズＬを装着する開口部Ｂ１から侵入した塵や埃が、撮像素子Ｃの側面や背面に回り込むことがないように、開口部Ｂ１と撮像素子Ｃの前面とを連結する筒形に形成されている。フレーム４には、第１ドラム６、第２ドラム８及びガイドロール１４を、夫々ほぼ平行に、回転自在に支持する軸受が形成されている。第１ドラム６及びガイドロール１４は、フレーム４によって、防塵内筒２の１つの外側面に隣接して支持されている。第２ドラム８は、フレーム４によって、防塵内筒２の第１ドラム６の反対側の外側面に隣接して支持されている。
【００２９】
上側リボン１０は、一端が第１ドラム６の上端に、他端が第２ドラム８の上端に巻き付けられ、取付けられている。上側リボン１０は、ガイドロール１４の上端部によって案内され、撮像素子Ｃの前面に沿うように、第１ドラム６から第２ドラム８まで延びている。同様に、下側リボン１２は、第１ドラム６及び第２ドラム８の下端に取付けられ、撮像素子Ｃの前面に沿うように、第１ドラム６から第２ドラム８まで延びている。ワイパー手段１６は、上端が上側リボン１０に、上端が下側リボン１２に夫々取付けられ、上側リボン１０及び下側リボン１２と直交する方向に延びている。ワイパー手段１６は、フエルト又は植毛ブラシ等によって構成することができる。
【００３０】
バネ１８が、第１ドラム６に取付けられ、第１ドラム６を、上側リボン１０及び下側リボン１２を巻き取る方向に回転させるように付勢している。上側リボン１０及び下側リボン１２は撮像素子Ｃの前面に沿うように張られているので、上側リボン１０及び下側リボン１２が、第２ドラム８から第１ドラム６に巻き取られると、上側リボン１０及び下側リボン１２に取付けられたワイパー手段１６は、撮像素子Ｃの前面をなでるように移動される。
【００３１】
第１リンク部材２０は、円弧状の細長い板状の形状を有し、円弧状の形状に沿って２つの細い長孔２０ａ、２０ｂが設けられている。また、第１リンク部材２０は、第１リンク部材２０の板面に対して直角に、撮像レンズＬの方へ延びる第１突起２０ｃ及び撮像素子Ｃの方へ延びる第２突起２０ｄを有する。また、第１リンク部材２０は、長孔２０ａ、２０ｂを夫々貫通する、カメラ本体Ｂに取付けられた２本のピンＢ２、Ｂ３によって、カメラ本体Ｂの開口部Ｂ１の縁に沿って移動可能にカメラ本体Ｂに取付けられている。第１リンク部材２０に形成された第１突起２０ｃは、撮像レンズＬの装着時に、撮像レンズＬのマウント部の突起Ｌ１と係合するように位置決めされている。
【００３２】
第２リンク部材２２は、概ねＬ字形の板状の形状を有し、Ｌ字形の長い方の辺の先端部には、第１歯車２４と係合する歯２２ａが形成されている。また、第２リンク部材２２のＬ字形の長い方の辺に沿って２つの細い長孔２２ｂ、２２ｃが設けられている。さらに、第２リンク部材２２のＬ字形の短い方の辺の先端部は、上方に直角に折り曲げられ、この折り曲げ部分には溝２２ｄが形成されている。また、第２リンク部材２２は、長孔２２ｂ、２２ｃを夫々貫通する、カメラ本体Ｂに取付けられた２本のピンＢ４、Ｂ５によって、撮像素子Ｃと平行な方向に移動可能にカメラ本体Ｂに取付けられている。第１リンク部材２０の第２突起２０ｄは、第２リンク部材２２の溝２２ｄに受け入れられているので、第１リンク部材２０がカメラ本体Ｂの開口部Ｂ１の縁に沿って移動すると、第２リンク部材２２は、撮像素子Ｃと平行な方向に移動される。
【００３３】
第１歯車２４は、カメラ本体Ｂに回転自在に取付けられ、第２リンク部材２２に形成された歯２２ａと係合するように配置されている。第２歯車２６は、第２ドラム８の下端に取付けられ、第１歯車２４と係合するように配置されている。
【００３４】
本発明の第１実施形態の撮像素子清掃装置１の作用を説明する。まず、撮像レンズＬをカメラ本体Ｂに装着していない状態では、上側リボン１０及び下側リボン１２は、バネ１８の付勢によって第１ドラム６に巻き取られている。この状態においては、ワイパー手段１６は、図１に実線で図示するように、撮像素子Ｃの第１ドラム６の側に位置している。次に、撮像レンズＬのバヨネット突起Ｌ２が、カメラ本体Ｂのレンズマウント部のバヨネット突起（図示せず）と当たらないように、所定の方向に撮像レンズＬをカメラ本体Ｂにセットする。次いで、撮像レンズＬをカメラ本体Ｂに対して回転させ、撮像レンズＬのバヨネット突起Ｌ２とカメラ本体Ｂのバヨネット突起（図示せず）を係合させる。これにより、撮像レンズＬがカメラ本体Ｂに装着される。
【００３５】
撮像レンズＬを、カメラ本体Ｂに装着する際に図２の矢印Ａ方向に回転させると、撮像レンズＬのマウント部の突起Ｌ１が、第１リンク部材２０の第１突起２０ｃと係合し、第１リンク部材２０を矢印Ｄ方向に移動させる。第２リンク部材２２は第１リンク部材２０と係合されているので、第１リンク部材２０が矢印Ｄ方向に移動されると、第２リンク部材２２は矢印Ｅ方向に移動される。第２リンク部材２２が矢印Ｅ方向に移動されると、第２リンク部材２２に形成された歯２２ａが第１歯車２４を回転させ、第１歯車２４が第２歯車２６を矢印Ｆ方向に回転させる。第２歯車２６が回転すると、第２歯車２６と結合されている第２ドラム８も矢印Ｆ方向に回転し、上側リボン１０及び下側リボン１２が、バネ１８による付勢に抗して第２ドラム８に巻き取られる。なお、第１歯車２４及び第２歯車２６は、第１歯車２４の回転が増速されて第２歯車２６に伝達されるように構成されているため、第２リンク部材２２の所定量の移動により、十分な長さの上側リボン１０及び下側リボン１２が第２ドラム８によって巻き取られる。
【００３６】
上側リボン１０及び下側リボン１２が第２ドラム８に巻き取られると、上側リボン１０及び下側リボン１２に取付けられ、撮像素子Ｃの第１ドラム６の側に位置していたワイパー手段１６が、撮像素子Ｃを横断して、図１に一点鎖線で図示する第２ドラム８の側に移動される。上側リボン１０及び下側リボン１２は撮像素子Ｃに沿うように張られているので、この際、上側及び下側リボンに取付けられたワイパー手段１６の繊毛が、撮像素子Ｃの表面を掃くようになで、撮像素子Ｃに付着した塵、埃等を除去する。第１ドラム６は、上側リボン１０及び下側リボン１２を巻き取る方向に回転するように、バネ１８によって付勢されているので、上側及び下側リボンは常にピンと張られた状態に維持される。ワイパー手段１６は、繊毛が密集しているので、撮像素子Ｃの表面をなでる際の抵抗はほとんどなく、撮像素子Ｃに付着した塵、埃等を除去することができる。
【００３７】
次に、撮像レンズＬをカメラ本体Ｂから取外す際には、撮像レンズＬをカメラ本体Ｂに対して矢印Ａの反対方向に回転させて、撮像レンズＬ及びカメラ本体Ｂの各バヨネット突起の係合を解除する。これに伴い、撮像レンズＬのマウント部の突起Ｌ１が、第１リンク部材２０の第１突起２０ｃから離れる。第１ドラム６は上側リボン１０及び下側リボン１２を巻き取るように、バネ１８によって付勢されているので、突起Ｌ１と第１突起２０ｃが係合しなくなると、上側及び下側リボンは第１ドラム６によって巻き取られる。上側リボン１０及び下側リボン１２が第１ドラム６によって巻き取られると、第２ドラム８は、矢印Ｆの反対方向に回転され、上側及び下側リボンが繰り出される。この際、撮像素子Ｃの第２ドラム８の側に位置していたワイパー手段１６が、撮像素子Ｃの表面をなでながら撮像素子Ｃの第１ドラム６の側に戻る。
【００３８】
第２ドラム８が矢印Ｆの反対方向に回転されると、第２リンク部材２２は、第１歯車２４を介して矢印Ｅの反対方向に移動される。これにより、第２リンク部材２２と係合した第１リンク部材２０は、矢印Ｄの反対方向に移動され、撮像レンズＬの装着前の初期位置に戻る。
【００３９】
本発明の第１実施形態の撮像素子清掃装置によれば、撮像レンズの装着時及び取り外し時に、ワイパー手段によって撮像素子の表面を清掃するので、撮像レンズの未装着時等に撮像素子に付着した塵や埃を効果的に除去することができる。
【００４０】
次に、図３を参照して、本発明の第２実施形態の撮像素子清掃装置を説明する。本発明の第２実施形態の撮像素子清掃装置は、ワイパー手段の第２ドラム側に防塵スクリーンを設けた点が第１実施形態とは異なる。従って、ここでは、本発明の第２実施形態の第１実施形態と同様の構成要素については、同一の参照番号を付して説明を省略し、構成、作用、効果の相違する点について説明する。
【００４１】
図３は、本発明の第２実施形態の撮像素子清掃装置の主要な部品を図示した斜視図である。図３に示すように、本発明の第２実施形態の撮像素子清掃装置３０は、防塵内筒（図示せず）と、フレーム（図示せず）と、第１ドラム６と、第２ドラム８と、上側リボン１０と、下側リボン１２と、ガイドロール１４と、ワイパー手段１６と、を有する。また、撮像素子清掃装置１は、第１ドラム６を付勢するバネ１８と、第１リンク部材２０と、第２リンク部材２２と、第１歯車２４と、第２歯車２６と、を有する。さらに、本実施形態の撮像素子清掃装置３０においては、ワイパー手段１６の第２ドラム８の側の、上側リボン１０と下側リボン１２の間を覆うように、防塵手段である防塵スクリーン３２が備えられている。防塵スクリーン３２は、上端が上側リボン１０に、下端が下側リボン１２に、一方の側縁がワイパー手段１６に夫々取付けられており、カメラ本体Ｂの開口部Ｂ１の側から撮像素子Ｃの側に埃が侵入するのを防ぐように構成されている。また、防塵スクリーン３２は、ワイパー手段１６が撮像素子Ｃの第１ドラム６側に移動したとき、撮像素子Ｃを完全に覆うことができる大きさにされている。
【００４２】
次に、本発明の第２実施形態の撮像素子清掃装置３０の作用を説明する。まず、カメラ本体Ｂに撮像レンズＬを取付けていない状態では、ワイパー手段１６は、撮像素子Ｃの第１ドラム６の側に位置している。ワイパー手段１６の第２ドラム８側は、上側リボン１０と下側リボン１２の間が防塵スクリーン３２によって覆われているので、ワイパー手段１６が第１ドラム６側に位置しているときは、撮像素子Ｃは防塵スクリーン３２によって隠されている。これにより、撮像レンズＬの未装着時に、カメラ本体Ｂの開口部Ｂ１から侵入した埃が撮像素子Ｃに付着するのを防止する。また、撮像レンズＬの未装着時においても、ワイパー手段１６は撮像素子Ｃの表面に密着しているので、ワイパー手段１６と撮像素子Ｃの間から、防塵スクリーン３２の裏側に埃が侵入することはない。
【００４３】
次に、撮像レンズＬをカメラ本体Ｂに装着するには、撮像レンズＬをカメラ本体Ｂにセットし、夫々のバヨネット突起を係合させるために、撮像レンズＬを矢印Ａ方向に回転させる。撮像レンズＬが回転されると、突起Ｌ１が第１リンク部材２０を移動させ、さらに、第２リンク部材２２、第１歯車２４、第２歯車２６を介して第２ドラム８が矢印Ｆ方向に回転される。第２ドラム８が矢印Ｆ方向に回転されると、上側リボン１０、下側リボン１２、及び防塵スクリーン３２が第２ドラム８に巻き取られ、ワイパー手段１６は、撮像素子Ｃの第１ドラム６側から第２ドラム８側に移動される。この際、ワイパー手段１６が、撮像素子Ｃの表面をなで、撮像素子Ｃに付着した埃等を除去する。ワイパー手段１６の第１ドラム６側には、防塵スクリーン３２は取付けられていないので、撮像レンズＬを装着し、ワイパー手段１６を第２ドラム８側に移動させた状態においては、撮像素子Ｃは、上側リボン１０と下側リボン１２の間に露出する。
好ましくは、撮像レンズＬをカメラ本体Ｂに装着する際、撮像レンズＬとカメラ本体Ｂの各バヨネット突起が係合を開始し、カメラ本体Ｂの密閉が確保された後で、ワイパー手段１６が第２ドラム８の方に移動を開始するように構成する。
即ち、撮像レンズＬをカメラ本体Ｂにセットし、撮像レンズＬを回転させて夫々のバヨネット突起がある程度係合した後、撮像レンズＬの突起Ｌ１が第１リンク部材２０の第１突起２０ｃと接触するように突起Ｌ１を位置決めしておく。この構成によれば、カメラ本体Ｂの密封が確保された後で撮像素子Ｃが露出し始めるので、カメラ本体Ｂに侵入した埃の付着を効果的に防止することができる。
【００４４】
次に、撮像レンズＬをカメラ本体Ｂから取外すと、上側リボン１０及び下側リボン１２がバネ１８の付勢によって第１ドラム６に巻き取られ、ワイパー手段１６が撮像素子Ｃの表面をなでながら第１ドラム６側に移動する。撮像レンズＬをカメラ本体Ｂから取外した状態では、撮像素子Ｃが防塵スクリーン３２に覆われ、第１リンク部材２０及び第２リンク部材２２が初期位置に戻る。
【００４５】
本発明の第２実施形態の撮像素子清掃装置によれば、撮像レンズＬの未装着時において、撮像素子Ｃが防塵スクリーンに覆われるので、カメラ本体Ｂの開口部Ｂ１から侵入した埃が撮像素子Ｃに付着するのを防止し、また、撮像素子Ｃを保護することができる。
【００４６】
上述した、実施形態においては、上側リボン１０と下側リボン１２との間に防塵スクリーン３２が取付けられていたが、変形例として、防塵スクリーン３２が取付けられている部分の上側リボン１０、下側リボン１２、及び防塵スクリーン３２を一体として、１枚の部材で構成しても良い。
【００４７】
以上、本発明の好ましい実施形態を説明したが、上述した実施形態に種々の変更を加えることができる。特に、上述した撮像素子清掃装置を、レンズ交換可能な任意のカメラシステムに組み込んで、撮像素子清掃装置付きカメラシステムを構成することができる。
【００４８】
また、上述した実施形態では、レンズシャッター式のカメラシステムに本発明の撮像素子清掃装置を組み込んでいるが、フォーカルプレーンシャッター式のカメラシステムに本発明の撮像素子清掃装置を組み込むこともできる。この場合には、フォーカルプレーンシャッターと撮像素子Ｃとの間にワイパー手段が配置されるように、カメラシステムを構成する。
【００４９】
さらに、上述した実施形態では、撮像レンズを取付ける際に加えられる力でワイパー手段を移動させていたが、撮像レンズの着脱をセンサー、リミットスイッチ等によって検出し、モーター等の駆動手段によってワイパー手段を移動させるように構成することもできる。
【００５０】
【発明の効果】
本発明の撮像素子清掃装置及びそれを備えたカメラシステムによれば、撮像レンズの着脱時に侵入した塵や埃等を、撮像素子の表面から効果的に除去することができる。また、本発明の撮像素子清掃装置及びそれを備えたカメラシステムによれば、撮像レンズを取外している間に、撮像素子の表面に塵や埃等が付着するのを防止することができる。
【図面の簡単な説明】
【図１】本発明の第１実施形態の撮像素子清掃装置を組み込んだレンズシャッター式のカメラシステムの断面図である。
【図２】本発明の第１実施形態の撮像素子清掃装置の主要な部品を図示した斜視図である。
【図３】本発明の第２実施形態の撮像素子清掃装置の主要な部品を図示した斜視図である。
【符号の説明】
Ｂ      カメラ本体
Ｃ      撮像素子
Ｌ      撮像レンズ
１      本発明の第１実施形態の撮像素子清掃装置
２      防塵内筒
４      フレーム
６      第１ドラム
８      第２ドラム
１０    上側リボン
１２    下側リボン
１４    ガイドロール
１６    ワイパー手段
１８    バネ
２０    第１リンク部材
２２    第２リンク部材
２４    第１歯車
２６    第２歯車
３０    本発明の第２実施形態の撮像素子清掃装置
３２    防塵スクリーン
【図１】
2005005972.tif 000003
【図２】
2005005972.tif 000004
【図３】
2005005972.tif 000005